(57)【要約】【課題】ＤＲＭ化されたデータをＮ（＞１）枚の同じ種類のメディアへダビングする場合に、処理負荷が大きく長時間を要するＤＲＭ変換がＮ回必要になる。【解決手段】ＤＲＭデータベース部１０１がＤＲＭ化されているダビング対象データを異なるＤＲＭ方式にＤＲＭ変換して記録メディアへダビングする毎に、ＤＲＭ変換済みデータをデータベース化して蓄積する。同一データの２度目以降のダビング時に、ＤＲＭデータ検出部１０５が、１０１からＤＲＭ変換済みデータを検索してダビングするため、ＤＲＭ変換時間を軽減することができる。【選択図】図１
2009080885.tif 000002
【特許請求の範囲】
【請求項１】
記録媒体間で、映像、音声、もしくはその両方を含むデジタルデータをダビングする方法において、
ダビング先記録媒体の属性と、該デジタルデータの属性を取得する取得ステップと、
前記取得ステップで取得した属性情報から該ダビング先記録媒体と該デジタルデータとの組み合わせで実行可能なダビング種別を判断する判別ステップと、
前記判別ステップでの判別結果を基に、ダビング先記録媒体に合わせて、記録フォーマット、著作権保護方式を変換して、イメージデータをダビングする第１のダビングステップと、
前記第１のダビングステップで変換したイメージデータをダビング種別毎に分類して、データベースに保存する保存ステップと、
使用者がダビングする際に、前記保存ステップで保存されたイメージデータでダビング種別が同一のものがある場合、該イメージデータと該イメージデータのメタ情報をダビング先記録媒体にコピーする第２のダビングステップと、
を有することを特徴とするデジタルデータのダビング方法。
【請求項２】
前記第１及び第２のダビングステップは該イメージデータのメタ情報もダビング先記録媒体にコピーし、前記保存ステップは該イメージデータのメタ情報もダビング種別毎に分類して、データベースに保存することを特徴とする、請求項１に記載のデジタルデータのダビング方法。
【請求項３】
請求項１または請求項２に記載のデジタルデータのダビング方法を用いて、記録媒体間で、映像、音声、もしくはその両方を含むデジタルデータをダビングするデジタルデータのダビング装置。
【請求項４】
デジタル権利管理（ＤＲＭ）方式で著作権保護されているデジタルデータを、異なるＤＲＭ方式で記録するメディアへダビングする装置であって、
データがＤＲＭ化され記録されているＤＲＭデータ記録部と、
前記ＤＲＭデータ記録部に記録されているダビング対象データを異なるＤＲＭ方式にＤＲＭ変換してメディアへダビングする毎に、ダビング対象データと、ＤＲＭ変換済みデータと、ダビング先メディアとを対応づけてデータベース化して蓄積するＤＲＭデータベース部と、
前記ＤＲＭデータ記録部の中からダビング対象データを指定するデータ指定手段と、
前記データ指定手段が指定したダビング対象データをダビングするダビング先メディアを指定するダビング先メディア指定手段と、
前記ＤＲＭデータベース部を検索して、前記データ指定手段が指定したダビング対象データと、前記ダビング先メディア指定手段が指定したダビング先メディアとが両方一致するＤＲＭ変換済みデータを検出するＤＲＭデータ検出手段と、
前記ＤＲＭデータ検出手段がＤＲＭ変換済みデータを検出できた場合に、検出したＤＲＭ変換済みデータを、前記ダビング先メディア指定手段が指定したダビング先メディアへ記録するＤＲＭデータ記録手段と、
前記ＤＲＭデータ検出手段がＤＲＭ変換済みデータを検出できなかった場合に、前記データ指定手段が指定したデータのＤＲＭを解除するＤＲＭ解除手段と、
前記ＤＲＭ解除手段が解除したデータを前記ダビング先メディア指定手段が指定したダビング先メディアに基づきＤＲＭ化するＤＲＭ化手段と、
前記ＤＲＭ化手段がＤＲＭ化したデータを前記ダビング先メディア指定手段が指定したダビング先メディアに記録し、且つ、前記データ指定手段で指定したダビング対象データと、前記ダビング先メディア指定手段が指定したダビング先メディアと、ＤＲＭ化したデータとを対応づけてＤＲＭデータベース部へ登録するＤＲＭデータダビング手段を備えることを特徴とするデジタルデータのダビング装置。
【請求項５】
前記ＤＲＭ解除手段が解除したデータを、前記メディア指定手段で指定したメディアに基づきフォーマット変換するフォーマット変換手段をさらに備えることを特徴とする請求項４に記載のデジタルデータのダビング装置。
【請求項６】
前記ＤＲＭデータ記録部に記録されているダビング対象データに対してメタ情報が作成される度に、ダビング対象データと、メタ情報とを対応づけてデータベース化して蓄積するメタ情報データベース部と、
前記ＤＲＭ解除手段が解除したデータ対してメタ情報を作成し、且つ、前記データ指定手段で指定したダビング対象データと、メタ情報とを対応づけて前記メタ情報データベース部へ登録するメタ情報作成手段と、
前記メタ情報データベース部を検索し、前記データ指定手段が指定したダビング対象データに対応づけられたメタ情報を検出するメタ情報検索手段をさらに備え、
前記ＤＲＭデータ記録手段が、ＤＲＭ変換されたデータに加えて、前記メタ情報検出手段が検出したメタ情報も前記ダビング先メディア指定手段が指定したダビング先メディアに記録し、
前記ＤＲＭデータダビング手段が、前記ＤＲＭ化したデータに加えて、前記メタ情報作成手段が作成したメタ情報も前記ダビング先メディア指定手段が指定したダビング先メディアに記録することを特徴とする請求項４に記載のデジタルデータのダビング装置。
【発明の詳細な説明】
【技術分野】
【０００１】
本発明は、著作権保護のためにデジタル権利管理（ＤＲＭ、Ｄｉｇｉｔａｌ  Ｒｉｇｈｔｓ  Ｍａｎａｇｅｍｅｎｔ）化されたデータを、ＢＤ（Ｂｌｕｅ  Ｒａｙ  Ｄｉｓｃ）、ＤＶＤ、ＳＤカード等のように各々異なるＤＲＭ方式、データフォーマットに変換しダビングする技術に関するものである。
【背景技術】
【０００２】
地上波デジタル、ＢＳデジタル、ワンセグなどデジタルＴＶ放送受信エリアの拡大に伴い、録画機能をもつＤＶＤレコーダー、カーナビ、パソコンなどのＡＶ機器も急激に普及しはじめた。デジタル映像の場合は、ダビング、複製時に画像劣化しないため、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｓｉｎｅｓｓ、社団法人  電波産業会）で、著作権保護に対する運用規定が厳しく制限されている。ＡＲＩＢ運用規定を遵守したデジタル権利管理（ＤＲＭ）方式を含む録画規格がＢＤやＤＶＤ等の記録メディア毎に標準化されている。その一方で、パソコンのハードディスク（ＨＤＤ）のようにオープンシステムの大容量記録媒体では、各ソフト開発会社や、パソコン製造会社、パソコン周辺機器製造会社が独自のＤＲＭ方式を考案して商品化している。さらに、地上波デジタル放送の録画はＣＯＧ（Ｃｏｐｙ  Ｏｎｅｃｅ  Ｇｅｎｅｒａｔｉｏｎ）のみという規制が緩和され、コピー回数が増える可能性がでてきた。そのため、各々異なるＤＲＭ方式で著作権保護されているデータを、メディア毎にＤＲＭ変換してダビングする処理が必要不可欠になりつつある。一般的に、ＤＲＭを変換するためには、暗号化を解読して全く別の暗号に変換するため、処理負荷が大きく長時間を必要とした。従来技術としては、メディアにダビングする際に、コピー回数などのコピー制御情報(ＣＣＩ)に基づき、記録メディアに応じたビットレート、暗号化方式、フォーマット（圧縮方式）を変換してコピーする方式がある（例えば、特許文献１参照）。
【特許文献１】特開２００６−１１４０９０号公報
【発明の開示】
【発明が解決しようとする課題】
【０００３】
コピー回数制限が現行の１回から複数回になった場合は、上記技術を用いて同じ種類のメディアにダビングすると以下の課題を有する。ただし、同じ種類のメディアとは、同一ＤＲＭ方式、同一録画、記録規格が共通なものとする。例えば、ＤＶＤ−ＲＡＭのＶＲ（Ｖｉｄｅｏ  Ｒｅｃｏｒｄｉｎｇ）規格等がある。
【０００４】
（１）  同一データをＮ（＞１）枚の同じ種類のメディアへダビングする場合に、処理負荷が大きく長時間を要するＤＲＭ変換がＮ回必要になる。
【０００５】
（２）  同一データをＮ（＞１）枚の同じ種類のメディアへダビングする場合に、フォーマット変換も必要であるとすると、ＤＲＭ変換に加えてフォーマット変換処理もＮ回必要になる。
【０００６】
（３）  メタ情報を付与して、同一データをＮ（＞１）枚の同じ種類のメディアへダビングする場合に、メタデータを検出する解析処理がＮ回必要になる。
【課題を解決するための手段】
【０００７】
本発明の主要な特徴は以下のとおりである。まず、ＤＲＭ化されているダビング対象データを異なるＤＲＭ方式にＤＲＭ変換して記録メディアへダビングする毎に、ＤＲＭ変換済みデータをデータベース化して蓄積し、同一データの２度目以降のダビングは蓄積されたＤＲＭ変換済みデータを用いてダビング処理を行う。
【０００８】
さらに、ＤＲＭ化されているダビング対象データを異なるＤＲＭ方式、異なるデータフォーマット形式へ変換して記録メディアへダビングする毎に、ＤＲＭ変換及びフォーマット変換済みデータをデータベース化して蓄積し、同一データの２度目以降のダビングは蓄積されたＤＲＭ変換及びフォーマット変換済みデータを用いてダビング処理を行う。
【０００９】
さらに、ＤＲＭ化されているダビング対象データを解析してメタ情報を検出する毎に、メタ情報をデータベース化して蓄積し、同一データの２度目以降のダビングは蓄積された検出済みのメタ情報を利用する。
【発明の効果】
【００１０】
本発明の効果は以下の通りである。
【００１１】
まず、同一データの２度目以降のダビング時はＤＲＭ変換処理をする必要がないので、ダビング処理時間を軽減することができる。
【００１２】
さらに、同一データの２度目以降のダビング時はフォーマット変換処理をする必要がないので、ダビング処理時間を軽減することができる。
【００１３】
さらに、同一データの２度目以降のダビング時はメタ情報検出処理をする必要がないので、ダビング処理時間を軽減することができる。
【発明を実施するための最良の形態】
【００１４】
（実施の形態１）
以下、本願第一の著作権保護データの管理装置の実施の形態を、図面を用いて説明する。図１は、本実施の形態のブロック図である。図２は、本実施の形態の処理を示すフローチャートである。
【００１５】
１００は、ＤＲＭデータ記録部である。音楽や映像などのＡＶデータを、第三者からの不正コピーから保護するために暗号化されているデータを記録する。例えば、デジタルＴＶの録画映像は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｓｉｎｅｓｓ、社団法人  電波産業会）という業界団体が、著作権保護の強度などを運用ルールとして規定している。ＤＶＤレコーダーや、パソコンなどの録画器がデジタルＴＶの録画映像をハードディスクなどの記録媒体へ蓄積する場合は、この運用ルール規定に準拠した暗号化方式を用いて著作権保護している。一般的に、記録媒体がハードディスク等の着脱不能で機器内蔵の場合は、自己録画した映像を自己再生することだけを保証することが多いので、各社固有の独自暗号化方式を利用したＤＲＭ方式が採用されている。
【００１６】
１０１は、ＤＲＭデータベース部である。ＤＲＭデータ記録部１００に固有の暗号化方式で蓄積された音楽や映像などのダビング対象データを、異なるＤＲＭ方式にＤＲＭ変換してメディアへダビングする毎に、ダビング対象データと、ＤＲＭ変換済みデータと、ダビング先メディアとを対応づけてデータベース化して蓄積する。自己録画した映像を自己再生することだけを保証する機器内蔵の記録媒体のＤＲＭ記録部１００とは異なり、複数の機器間での再生互換性を保証する必要があるＢＤ（Ｂｌｕｅ  Ｒａｙ  Ｄｉｓｃ）、ＤＶＤ、ＳＤカードなどの記録メディアの場合は、共通の暗号化方式を利用したＡＡＣＳ（Ａｄｖａｎｃｅｄ  Ａｃｃｅｓｓ  Ｃｏｎｔｅｎｔｓ  Ｓｙｓｔｅｍ）やＣＰＲＭ（Ｃｏｎｔｅｎｔｓ  Ｐｒｏｔｅｃｔｉｏｎ  ｆｏｒ  Ｒｅｃｏｒｄａｂｌｅ  Ｍｅｄｉａ）等のＤＲＭ方式が規格化されている。そのため、ＤＲＭデータ記録部１００のデータをダビングする際に、ダビング先のメディアに応じてＤＲＭ方式を変換する必要があるが、同一データを同じ種類のメディアへダビングする場合のＤＲＭ済みデータは共用化することができる。ＤＲＭデータベース部１０１は、ダビング対象データ、ダイビング先メディアの種類、ＤＲＭ変換済みデータを対応づけてデータベース化して蓄積する。当然、蓄積されているＤＲＭ変換済みデータも著作権保護する必要があるので、独自のＤＲＭ方式で２重にＤＲＭ化したり、第３者アクセスから隠蔽された記録領域へ記録するなどしてＡＲＩＢ等の運用規定に準拠する必要がある。図３に、ダビング対象データ、ダイビング先メディアの種類、ＤＲＭ変換済みデータを対応づけたＤＲＭデータベース管理テーブルの一例を示す。
【００１７】
１０２は、データ指定手段である。ＤＲＭ記録部１００に記録されている音楽や映像などのＡＶデータの中から、ダビング対象データを指定する（ステップ６００）。
【００１８】
１０３はダビング先メディア指定部で、１０４はダビング先メディアある。データ指定手段１０２で指定したＤＲＭ記録部１００のダビング対象データのダビング先メディア１０４を指定する（ステップ６０１）。ダビング先メディア１０４は、ＢＤ，ＤＶＤ，ＳＤ等の汎用記録メディアである。メディア毎に、標準規格化されたデータフォーマット形式、ＤＲＭ方式が決まっている。
【００１９】
１０５は、ＤＲＭデータ検出手段である。ＤＲＭデータベース部１０１を検索して、データ指定手段１０２が指定したダビング対象データと、ダビング先メディア指定部１０３が指定したダビング先メディア１０４とが両方一致するＤＲＭ変換済みデータを検出する（ステップ６０２）。図３のＤＲＭデータベース管理テーブルで、データ指定部１０２が“データＡ”、ダビング先メディア指定部１０３が“ＤＶＤ―ＲＡＭ”を指定した場合、ＤＲＭ変換済みデータとして“データＡＤＶＤ”を検出する。
【００２０】
１０６は、ＤＲＭデータ記録手段である。ＤＲＭデータ検出手段１０５が該当するＤＲＭ変換済みデータを検出した場合に、そのデータをダビング先メディアへ記録する（ステップ６０３）。ＤＲＭ変換済みデータはダビング先メディア１０４で規格化されているＤＲＭ方式に準拠した形式に変換されているので、メディア固有の暗号鍵を認証して記録する。例えば、ダビング先メディア１０４がＤＶＤ−ＲＡＭで、ＤＲＭ方式がＣＰＲＭの場合は、メディア固有のメディアキーと、ＭＫＢ（Ｍｅｄｉａ  Ｋｅｙ  Ｂｌｏｃｋ）とを使って、既にＤＲＭ変換されているデータを記録する。データの本体（ストリーム）は再暗号化処理せずに、暗号化の鍵は保持した状態でメディアへ記録することができる。さらに、この記録処理中はＴＲ（Ｔａｍｐｅｒ  Ｒｅｓｉｓｔａｎｔ）技術で、ハッキング（不正アクセス）やデータ改竄を防止する。ＣＰＲＭ方式でのＴＲ技術を用いたデータ記録機能は、多くの市販ＤＶＤソフトで商品化されているので公知の技術である。
【００２１】
１０７は、ＤＲＭ解除手段、１０８はＤＲＭ化手段である。ＤＲＭデータ検出手段１０５が該当するＤＲＭ変換済みデータを検出できなかった場合に、ダビング先メディアの規格に合わせてＤＲＭ変換する。まず、ＤＲＭ解除手段１０７で暗号化されているダビング対象データを解読することによりＤＲＭを解除してデータの本体（ストリーム）を出力する（ステップ６０４）。解読のために必要な暗号鍵などは、各々のＤＲＭで規定されている認証方式で取得する。次に、ＤＲＭ化手段１０８が出力したＤＲＭ解除された非暗号化データを、ダビング先メディア１０４に合わせて再度ＤＲＭ化する（ステップ６０５）。このＤＲＭ解除手段１０７及びＤＲＭ化手段１０８の処理中もＴＲ技術でデータ改竄等を防止する必要がある。例えば、ダビング先メディアがＤＶＤ−ＲＡＭの場合、ＣＰＲＭ方式でＤＲＭ化する必要がある。出力された非暗号化データを、ＣＰＲＭ方式で規定されている方式でＤＲＭ化する。
【００２２】
１０９は、ＤＲＭデータダビング手段である。ＤＲＭ化手段１０８が出力したＤＲＭ化したデータをダビング先メディア１０４へ記録する（ステップ６０６）。ＤＲＭ化したデータ、すなわちＤＲＭ変換済みのデータをダビング先メディア１０４へ記録する方式は、ＤＲＭデータ記録手段１０６（ステップ６０４）と同じ方式で実現する。さらに、ダビング対象データと、ダビング先メディアと、ＤＲＭ変換済みデータとを対応づけてＤＲＭデータベース部１０１へ登録する（ステップ６０７）。
【００２３】
以上の通り、ＤＲＭデータベース部１０１が、過去にＤＲＭ変換されたデータを蓄積してデータベース化するので、同一データの２度目以降のダビング時はＤＲＭ変換処理をする必要がなくダビング処理時間を軽減することができるため、その実用的効果は大きい。
【００２４】
（実施の形態２）
以下、本願第二の著作権保護データの管理装置の実施の形態を、図面を用いて説明する。図４は、本実施の形態のブロック図である。１００、１０１、１０２、１０３、１０４、１０５、１０６、１０７、１０８、及び１０９は、実施の形態１と同一構成であるので、説明を省略する。図５は、本実施の形態の処理を示すフローチャートである。ステップ６００、６０１、６０２、６０４、６０４、６０５、６０６、及び６０７は、実施の形態１と同一ステップでああるので、説明を省略する。
【００２５】
１１０は、フォーマット変換手段である。メディアへ記録する際に、ダビング対象データの圧縮形式やビットレート、解像度を変換する（ステップ６１０）。例えば、フルハイビジョン（ＨＤ）で録画されたデジタルＴＶ画像を、スタンダード・ディフィニション（ＳＤ）画像しか記録できないＤＶＤ−ＲＡＭへダビングする場合は、解像度やビットレートなどをダウンコンバートする必要がある。また、ＳＤカードへ記録する場合は、圧縮率の高いＨ．２６４形式に圧縮形式を変換する必要がある。さらに、このフォーマット変換手段１１０の処理中もＴＲ技術でデータ改竄等を防止する必要がある。
【００２６】
以上の通り、ＤＲＭデータベース部１０１が、過去にＤＲＭ変換及びフォーマット変換されたデータを蓄積してデータベース化するので、同一データの２度目以降のダビング時はＤＲＭ変換及びフォーマット変換処理をする必要がなくダビング処理時間を軽減することができるため、その実用的効果は大きい。
【００２７】
（実施の形態３）
以下、本願第三の著作権保護データの管理装置の実施の形態を、図面を用いて説明する。図６は、本実施の形態のブロック図である。１００、１０１、１０２、１０３、１０４、１０５、１０６、１０７、１０８、１０９及び１１０は、実施の形態１及び２と同一構成であるので、説明を省略する。図７は、本実施の形態の処理を示すフローチャートである。ステップ６００、６０１、６０２、６０４、６０４、６０５、６０６、６０７、及び６１０は、実施の形態１及び２と同一ステップでああるので、説明を省略する。
【００２８】
１２０は、メタ情報データベース部である。ダビング対象データと、メタ情報とを対応づけてデータベース化して蓄積する。
【００２９】
１２１は、メタ情報作成手段である。ＤＲＭ記録部１００に記録されている音楽や映像データを解析して、番組名、番組のあらすじ、放送曲名などのＥＰＧ（Ｅｌｅｃｔｒｉｃ  Ｐｒｏｇｒａｍ  Ｇｕｉｄｅ）情報や、曲名、アーティスト名等の楽曲情報を検出する。このような情報は、データストリーム内に暗号化されて記録されている場合が多いので、ＤＲＭ解除手段１０７で解読した後に検出する。さらに、音楽、映像データを解析して、音楽のサビ部分や、映像のクライマックス部分、ＣＭ挿入部分を抽出してメタ情報として検出する（ステップ６２０）。このような解析技術は、市販のＤＶＤレコーダー、パソコンのソフト等で既に商品化されているので公知の技術である。次に、検出したメタ情報を、ダビング対象データと対応づけて、メタ情報データベース部１２０へ登録する（ステップ６２１）。
【００３０】
ＤＲＭデータダビング手段１０９は、ＤＲＭ変換済みのデータに加えて、メタ情報作成手段が作成したメタ情報をダビング先メディア１０４へ記録する（ステップ６２２）。
【００３１】
１２２は、メタ情報検索手段である。ダビング対象データに対応づけられているメタ情報を検索する（ステップ６２３）。次に、ダビング先メディアへ記録する際にＤＲＭ変換及びフォーマット変換済みのデータに加えてメタ情報を記録する（ステップ６２２）。
【００３２】
以上の通り、メタ情報データベース部１２０が、過去に検出したメタ情報を蓄積してデータベース化するので、同一データの２度目以降のメタデータ作成処理をする必要がなくダビング処理時間を軽減することができるため、その実用的効果は大きい。
【産業上の利用可能性】
【００３３】
本発明に係わるデジタルデータのダビング方法、及び装置は、デジタル放送で録画されたデータのダビング処理を例にとり示した。しかし、暗号化されＤＭＲ化され記録されているデータ、例えばインターネット等で配信されたデータへも応用することが可能である。さらに、映像だけでなく、音楽データへも応用することが可能である。
【図面の簡単な説明】
【００３４】
【図１】本発明の実施の形態１に於けるダビング装置のブロック図
【図２】本発明の実施の形態１に於けるダビング方法のフローチャート
【図３】本発明の実施の形態１に於けるＤＲＭデータベース管理テーブルを表した図
【図４】本発明の実施の形態２に於けるダビング装置のブロック図
【図５】本発明の実施の形態２に於けるダビング方法のフローチャート
【図６】本発明の実施の形態３に於けるダビング装置のブロック図
【図７】本発明の実施の形態３に於けるダビング方法のフローチャート
【符号の説明】
【００３５】
１００    ＤＲＭデータ記録部
１０１    ＤＲＭデータベース部
１０２    データ指定手段
１０３    ダビング先メディア指定部
１０４    ダビング先メディア
１０５    ＤＲＭデータ検出手段
１０６    ＤＲＭデータ記録手段
１０７    ＤＲＭ解除手段
１０８    ＤＲＭ化手段
１０９    ＤＲＭデータダビング手段
１１０    フォーマット変換手段
１２０    メタ情報データベース部
１２１    メタ情報作成手段
１２２    メタ情報検索手段
【図１】
2009080885.tif 000003
【図２】
2009080885.tif 000004
【図３】
2009080885.tif 000005
【図４】
2009080885.tif 000006
【図５】
2009080885.tif 000007
【図６】
2009080885.tif 000008
【図７】
2009080885.tif 000009